(57)【特許請求の範囲】
【請求項１】
所定の形状に裁断されたブランクを折曲げ線に沿って折り曲げることで、対向配置された前後一対の正面板を含む筒状本体を形成し、該前後一対の正面板の何れか一方の正面板の端縁部に連設する蓋フラップ片の差し込みフラップ片を、他方の正面板の内側面に沿って差し込むことで前記筒状本体の端部の開口部が閉塞されると共に、切断誘導線を破断させることにより開封して収容物を取り出す封緘箱であって、
前記差し込みフラップ片には、両側の側縁部から外側に張り出す係止片が設けられており、前記他方の正面板の隣接する両側の側面板との間の側縁角部分には、前記係止片が係合される係止切欠きが設けられており、
且つ前記差し込みフラップ片の幅方向における前記両側の係止片の先端縁部の間の長さが、前記他方の正面板の前記係止切欠きが設けられた部分の幅よりも長くなっており、
且つ前記差し込みフラップ片の両側の側縁部において、前記係止片が、前記蓋フラップ片との間の折曲げ線からの離間長さが異なるようにずれて設けられており、前記他方の正面板の隣接する両側の側面板との間の側縁角部分において、前記係止切欠きが、前記係止片と対応させて、前記開口部の縁部からの離間長さが異なるようにずれて設けられている封緘箱。
【請求項２】
前記差し込みフラップ片を、前記他方の正面板の内側面に沿って差し込む際に、前記差し込みフラップ片を斜めに差し込んで、前記蓋フラップ片との間の折曲げ線からの離間長さが短い方の前記係止片を前記係止切欠きに係合した後に、これらの係合部分を中心に前記差し込みフラップ片を回動させた時に、前記蓋フラップ片との間の折曲げ線からの離間長さが長い方の前記係止片の先端縁部が、前記開口部における前記他方の正面板と前記側面板との角部内側を通過可能なように、離間長さが短い方の前記係止切欠きの係合基端部から前記角部内側までの長さと、離間長さが短い方の前記係止片の係合基端部から離間長さが長い方の前記係止片の先端縁部までの長さとが略合致するような位置関係で、各々の前記係止片及び前記係止切欠きが設けられている請求項１記載の封緘箱。
【発明の詳細な説明】
【技術分野】
【０００１】
本発明は、封緘箱に関し、特に、所定の形状に裁断されたブランクから前後一対の正面板を含む筒状本体を形成し、蓋フラップ片の差し込みフラップ片を差し込むことで筒状本体の両端の開口部を閉塞し、切断誘導線を破断させることにより開封して収容物を取り出す封緘箱に関する。
【背景技術】
【０００２】
例えば、化粧品類、薬品類、菓子類、文房具類や、その他の日用品を包装する包装箱として、所定の形状に裁断された紙製やプラスチック製の薄板状のシート材料であるブランクを、折曲げ線に沿って折り曲げることで立体形状に組み立てたものが多用されている。ブランクを用いた包装箱は、一般に、前後一対の正面板や側面板を含む筒状本体の内部に収容物を収容すると共に、先端差し込みフラップ片を連設した蓋フラップ片によって筒状本体の両端の開口部を覆うことで、当該開口部を閉塞する。
【０００３】
また、筒状本体の端部の開口部を蓋フラップ片によって閉塞した包装箱では、蓋フラップ片を開放することで収容物を取り出すことができるようになっているが、蓋フラップ片を開閉することが容易であると、例えば包装箱が店頭に陳列された際に、購入者以外の者が包装箱をいたずらに開けたり収容物を取り出したりして、改竄される畏れがある。このようなことから、筒状本体の端部の開口部を覆う蓋フラップ片が容易に開放されないようにし、包装箱の開封は、包装箱の周囲に設けられたミシン目等による切断誘導線を破断させて行われるようにして、包装箱が既に開封されたか否かを容易に判別可能にすることで、改竄防止機能が得られるようにした封緘箱が種々開発されている（例えば、特許文献１、特許文献２参照）。
【先行技術文献】
【特許文献】
【０００４】
【特許文献１】特開２００１−３１０６２号公報
【特許文献２】実用新案登録第３１４２４７１号公報
【発明の概要】
【発明が解決しようとする課題】
【０００５】
しかしながら、特許文献１や特許文献２の改竄防止機能が得られる封緘箱では、フック片に設けられた係止片や、差し込み片に設けられたフックを、上蓋片に設けられた切込線や、正面板と内フラップとの折曲げ線に設けられたスリットに係合させて、メカニカルな構造により蓋フラップ片が容易に開放されないようになっているが、その構成が簡易ではなく、封緘装置を使用した際の封緘工程が複雑になる。また、特に封緘箱が紙製のブランクを用いて形成されている場合には、係止片や差し込み片を、切込線やスリットに無理押しながら押し込んでこれらを係合させる際に、係止片やフックの先端係合部分が押し潰されて、切込線やスリットへの係合が甘くなる場合がある。
【０００６】
本発明は、簡易な構成によって、且つ封緘装置を使用した簡単な工程によって、筒状本体の端部の開口部を、容易には開放されないように安定した状態で封緘することのできる封緘箱を提供することを目的とする。
【課題を解決するための手段】
【０００７】
本発明は、所定の形状に裁断されたブランクを折曲げ線に沿って折り曲げることで、対向配置された前後一対の正面板を含む筒状本体を形成し、該前後一対の正面板の何れか一方の正面板の端縁部に連設する蓋フラップ片の差し込みフラップ片を、他方の正面板の内側面に沿って差し込むことで前記筒状本体の端部の開口部が閉塞されると共に、切断誘導線を破断させることにより開封して収容物を取り出す封緘箱であって、前記差し込みフラップ片には、両側の側縁部から外側に張り出す係止片が設けられており、前記他方の正面板の隣接する両側の側面板との間の側縁角部分には、前記係止片が係合される係止切欠きが設けられており、且つ前記差し込みフラップ片の幅方向における前記両側の係止片の先端縁部の間の長さが、前記他方の正面板の前記係止切欠きが設けられた部分の幅よりも長くなっている封緘箱を提供することにより、上記目的を達成したものである。
【０００８】
また、本発明は、所定の形状に裁断されたブランクを折曲げ線に沿って折り曲げることで、対向配置された前後一対の正面板を含む筒状本体を形成し、該前後一対の正面板の何れか一方の正面板の端縁部に連設する蓋フラップ片の差し込みフラップ片を、他方の正面板の内側面に沿って差し込むことで前記筒状本体の端部の開口部が閉塞されると共に、切断誘導線を破断させることにより開封して収容物を取り出す封緘箱であって、前記差し込みフラップ片には、ロック穴が設けられており、前記他方の正面板には、前記ロック穴が係合される係止片が設けられている封緘箱を提供することにより、上記目的を達成したものである。
【０００９】
さらに、本発明は、所定の形状に裁断されたブランクを折曲げ線に沿って折り曲げることで、対向配置された前後一対の正面板を含む筒状本体を形成し、該前後一対の正面板の何れか一方の正面板の端縁部に連設する蓋フラップ片の差し込みフラップ片を、一対の側面板の端縁部に連設する内フラップ片を内側に折り込んでから他方の正面板の内側面に沿って差し込むことで前記筒状本体の端部の開口部が閉塞されると共に、切断誘導線を破断させることにより開封して収容物を取り出す封緘箱であって、前記差し込みフラップ片には、ロック穴が設けられており、前記内フラップ片の縁部から突出して、前記ロック穴が係合される係止片が設けられている封緘箱を提供することにより、上記目的を達成したものである。
【発明の効果】
【００１０】
本発明の封緘箱によれば、簡易な構成によって、且つ封緘装置を使用した簡単な工程によって、筒状本体の端部の開口部を、容易には開放されないように安定した状態で封緘することができる。
【図面の簡単な説明】
【００１１】
【図１】本発明の好ましい一実施形態に係る封緘箱の構成を説明する斜視図である。
【図２】（ａ）、（ｂ）は、本発明の好ましい一実施形態に係る封緘箱の構成を説明する要部斜視図である。
【図３】本発明の好ましい一実施形態に係る封緘箱を形成するためのブランクの展開図である。
【図４】他の好ましい形態に係る封緘箱を形成するためのブランクの展開図である。
【図５】他の好ましい形態に係る封緘箱を形成するためのブランクの展開図である。
【発明を実施するための形態】
【００１２】
図１及び図２（ａ）、（ｂ）に示す本発明の好ましい一実施形態に係る封緘箱１０は、収容物として、例えば化粧品類、薬品類、菓子類、文房具類等の日用品を収容した縦長の六面体形状の包装箱である。本実施形態の封緘箱１０は、前後一対の正面板１１ａ，１１ｂと、左右一対の側面板１１ｃ，１１ｄとからなる筒状本体１１と、後述する蓋フラップ片１７ａ，１７ｂによる天面板１２ａ及び底面板１２ｂとからなる六面体形状に形成される。また、本実施形態の封緘箱１０は、蓋フラップ片１７ａによる天面板１２ａに切断誘導線１３が設けられており、この切断誘導線１３を破断させることにより開封して収容物を取り出せるようになっている。さらに、本実施形態の封緘箱１０は、筒状本体１１の端部の開口部１４を、簡易な構成によって、容易には開放されない状態で強固に封緘する機能を備える。
【００１３】
そして、本実施形態の封緘箱１０は、図３に示すような、所定の形状に裁断された例えば紙製の薄板状のブランク１５を、複数の折曲げ線１６ａ，１６ｂに沿って折り曲げることで、対向配置された前後一対の正面板１１ａ，１１ｂを含む筒状本体１１を形成し（図１、図２（ａ）、（ｂ）参照）、前後一対の正面板１１ａ，１１ｂの何れか一方の正面板の端縁部に連設する蓋フラップ片１７ａ，１７ｂの差し込みフラップ片１８ａ，１８ｂを、他方の正面板の内側面に沿って差し込むことで筒状本体１１の両端の開口部１４が閉塞されると共に、切断誘導線１３を破断させることにより開封して収容物を取り出す包装箱である。差し込みフラップ片１８ａ，１８ｂには、両側の側縁部から外側に張り出す係止片１９ａ，１９ｂが設けられており、他方の正面板１１ｂの隣接する両側の側面板１１ｃ，１１ｄとの間の側縁角部分には、係止片１９ａ，１９ｂが係合される係止切欠き２０ａ，２０ｂが設けられており、且つ差し込みフラップ片１８ａ，１８ｂの幅方向における両側の係止片１９ａ，１９ｂの先端縁部の間の長さＬ1が、他方の正面板の係止切欠き２０ａ，２０ｂが設けられた部分の幅Ｌ2よりも長くなっている。
【００１４】
また、本実施形態では、差し込みフラップ片１８ａ，１８ｂの両側の側縁部において、係止片１９ａ，１９ｂが、蓋フラップ片１７ａ，１７ｂとの間の折曲げ線１６ｂからの離間長さａ1，ａ2が異なるようにずれて設けられており、他方の正面板１１ｂの隣接する両側の側面板１１ｃ，１１ｄとの間の側縁角部分において、係止切欠き２０ａ，２０ｂが、係止片１９ａ，１９ｂと対応させて、開口部１４の縁部からの離間長さａ1，ａ2が異なるようにずれて設けられている。
【００１５】
本実施形態の封緘箱１０は、図３に示すような、一枚の紙製のブランク１５を用いて形成される。ブランク１５は、六面体形状の封緘箱１０を展開した所定の形状となるように、例えば薄板状の紙製のシート材料を打ち抜いて裁断することで容易に得ることができる。ブランク１５は、側縁部を把持して片持ち状に水平に延設させた場合でも、折れ曲がることなく滑らかに湾曲した状態を容易に保持できる程度の保形剛性及び弾性を備えると共に、手の力で容易に折り曲げることができる程度の変形性を備える。
【００１６】
また、ブランク１５には、例えば半切れ線や罫線からなる縦方向折曲げ線１６ａや横方向折曲げ線１６ｂ、或いは全切れ線からなる切込み２１等が適宜の位置に設けられていることで、封緘箱１０を六面体形状となるように容易に組み立てることができる。
【００１７】
本実施形態のブランク１５では、例えば縦長の略長方形の後方正面板１１ａの両側に、縦方向折曲げ線１６ａを介して縦長の略長方形の側面板１１ｃ，１１ｄが各々連設している。図３の展開図における右側の側面板１１ｄの側方には、縦方向折曲げ線１６ａを介して縦長の略長方形の前方正面板１１ｂが連設している。前方正面板１１ｂのさらに側方には、縦方向の折曲げ線１６ａを介して縦長帯状の接合板２７が連設している。
【００１８】
後方正面板１１ａの上方には、横方向折曲げ線１６ｂを介して天面部蓋フラップ片１７ａが連設している。天面部蓋フラップ片１７ａの上方には、さらに、横方向折曲げ線１６ｂを介して天面部差し込みフラップ１８ａが連設している。なお、本実施形態では、天面部蓋フラップ片１７ａと天面部差し込みフラップ１８ａとの間の横方向折曲げ線１６ｂの両端部分には、天面部内フラップ片２５ａの基端部との間で公知のロック機構を構成するロック用切込み２２が設けられていると共に、中央部分には、切断誘導線１３を破断する際の操作開始部となるつば部２３を形成するためのつば部用切込み２４が設けられている。
【００１９】
前方正面板１１ｂの下方には、横方向折曲げ線１６ｂを介して底面部蓋フラップ片１７ｂが連設している。底面部蓋フラップ片１７ｂの下方には、さらに、横方向折曲げ線１６ｂを介して底面部差し込みフラップ１８ｂが連設している。なお、本実施形態では、底面部蓋フラップ片１７ｂと底面部差し込みフラップ１８ｂとの間の横方向折曲げ線１６ｂの両端部分には、底面部内フラップ片２５ｂの基端部との間で公知のロック機構を構成する、ロック用切込み２２が設けられている。
【００２０】
一対の側面板１１ｃ，１１ｄの上方には、各々、横方向折曲げ線１６ｂを介して天面部内フラップ片２５ａが連設している。天面部内フラップ片２５ａの基端部には、上述のロック用切込み２２との間で公知のロック機構を構成するロック用突片２６が設けられている。一対の側面板１１ｃ，１１ｄの下方には、各々、横方向折曲げ線１６ｂを介して底面部内フラップ片２５ｂが連設している。底面部内フラップ片２５ｂの基端部には、上述のロック用切込み２２との間で公知のロック機構を構成する、ロック用突片２６が設けられている。
【００２１】
前方正面板１１ｂの側方に連設する接合板２７には、接着剤２８が塗着されており、この接着剤２８を介して接合板２７を、側面板１１ｃの側縁部に沿った内側面に接合することで、各縦方向折曲げ線１６ａに沿って折り曲げられた前後一対の正面板１１ａ，１１ｂと左右一対の側面板１１ｃ，１１ｄとからなる、矩形中空の断面形状を有する筒状本体１１が形成される。なお、本実施形態では、接合板２７とは反対側に位置する側面板１１ｃの上端部側縁部には、切欠き凹部２９が設けられている。接合板２７を側面板１１ｃの内側面に接合することで筒状本体１１を形成した際に、前方正面板１１ｂと接合板２７との側縁角部分において、縦方向折曲げ線１６ａから接合板２７に食い込ませて形成した第１係止切欠き２０ａを、切欠き凹部２９の部分で側面板１１ｃに臨ませることで、当該第１係止切欠き２０ａを、前方正面板１１ｂと側面板１１ｃとの側縁角部分に設けることができる。
【００２２】
そして、本実施形態では、天面部差し込みフラップ片１８ａは、一方の正面板としての後方正面板１１ａの上方に天面部蓋フラップ片１７ａを介在させて連設しており、この天面部差し込みフラップ片１８ａには、両側の側縁部から各々外側に張り出す第１係止片１９ａ及び第２係止片１９ｂが設けられている。本実施形態では、これらの係止片１９ａ，１９ｂは、天面部蓋フラップ片１７ａとの間の横方向折曲げ線１６ｂからの離間長さａ1，ａ2が異なるように、ずれて設けられており、横方向折曲げ線１６ｂからの離間長さａ1が短い方の係止片が第１係止片１９ａとなっており、横方向折曲げ線１６ｂからの離間長さａ2が短い方の係止片が第２係止片１９ｂとなっている。また、本実施形態では、天面部差し込みフラップ片１８ａの幅方向における、両側の第１係止片１９ａ及び第２係止片１９ｂの先端縁部の間の長さＬ1が、他方の正面板としての前方正面板１１ｂの、後述する第１係止切欠き２０ａ及び第２係止切欠き２０ｂが設けられた部分の幅Ｌ2よりも長くなっている。さらに、本実施形態では、第１係止片１９ａ及び第２係止片１９ｂの先端縁部は、円弧状に湾曲する湾曲角部３０ａ，３０ｂを介して天面部蓋フラップ片１７ａの先端辺部３１と接続している。
【００２３】
本実施形態では、他方の正面板としての前方正面板１１ｂの上端部の隣接する両側の側面板１１ｃ，１１ｄとの間の側縁角部分に、天面部差し込みフラップ片１８ａの第１係止片１９ａや第２係止片１９ｂが各々係合される第１係止切欠き２０ａや第２係止切欠き２０ｂが設けられている。本実施形態では、これらの係止切欠き２０ａ，２０ｂは、第１係止片１９ａや第２係止片１９ｂと対応させて、開口部１４ａの縁部となる前方正面板１１ｂの上辺３２からの離間長さａ1，ａ2が異なるように、ずれて設けられており、上辺３２からの離間長さａ1が短い方の切欠き第１係止切欠き２０ａとなっており、上辺３２からの離間長さａ2が長い方の切欠き第２係止切欠き２０ｂとなっている。本実施形態では、係止切欠き２０ａ，２０ｂは、各々、縦方向折曲げ線１６ａに沿って切り込んだ角部切込み３３ａと、角部切込み３３ａの上端部からＬ字形に折れ曲がって側面板１１ｃ，１１ｄに食い込んで設けられたＬ形切込み３３ｂとからなる鉤形形状に形成されている。なお、係止切欠き２０ａ，２０ｂは、例えば縦方向折曲げ線１６ａに沿った部分から側面板１１ｃ，１１ｄに食い込んで開口形成された切欠き開口等によって設けることもできる。
【００２４】
また、本実施形態では、天面部差し込みフラップ片１８ａを、例えばカートナー等の公知の封緘装置を使用して、他方の正面板である前方正面板１１ｂの内側面に沿って差し込む際に、天面部差し込みフラップ片１８ａを斜めに差し込んで、天面部蓋フラップ片１７ａとの間の横方向折曲げ線１６ｂからの離間長さａ1が短い方の第１係止片１９ａを第１係止切欠き２０ａに係合した後に、これらの係合部分を中心に天面部差し込みフラップ片１８ａを回動させた時に（図２（ａ）参照）、天面部蓋フラップ片１８ａとの間の横方向折曲げ線１６ｂからの離間長さａ2が長い方の第２係止片１９ｂの先端縁部が、上端部の開口部１４における前方正面板１１ｂと側面板１１ｄとの角部内側を通過可能な位置関係で、各々の係止片１９ａ，１９ｂ及び係止切欠き２０ａ，２０ｂが設けられている。
【００２５】
すなわち、離間長さａ1が短い方の第１係止切欠き２０ａの係合基端部となる角部切込み３３ａの上端部から開口部１４における前方正面板１１ｂと側面板１１ｄとの角部内側までの長さｓ1と、離間長さａ1が短い方の第１係止片１９ａの係合基端部から離間長さａ2が長い方の第２係止片１９ｂの先端縁部までの長さｓ2とが略合致するような位置関係で、各々の係止片１９ａ，１９ｂ及び係止切欠き２０ａ，２０ｂが設けられている。
【００２６】
一方、本実施形態では、底面部差し込みフラップ片１８ｂは、一方の正面板としての前方正面板１１ｂの下方に底面部蓋フラップ片１７ｂを介在させて連設しており、この底面部差し込みフラップ片１８ｂには、上述の天面部差し込みフラップ片１８ａと同様に、両側の側縁部から各々外側に張り出す第１係止片１９ａ及び第２係止片１９ｂが、底面部蓋フラップ片１７ｂとの間の横方向折曲げ線１６ｂからの離間長さが異なるように、ずれて設けられている。また、底面部差し込みフラップ片１８ａの幅方向における、両側の第１係止片１９ａ及び第２係止片１９ｂの先端縁部の間の長さが、他方の正面板としての後方正面板１１ｂの第１係止切欠き２０ａ及び第２係止切欠き２０ｂが設けられた部分の幅よりも長くなっている。
【００２７】
本実施形態では、他方の正面板としての後方正面板１１ａの下端部の隣接する両側の側面板１１ｃ，１１ｄとの間の側縁角部分には、上述の前方正面板１１ｂと同様に、底面部差し込みフラップ片１８ｂの第１係止片１９ａや第２係止片１９ｂが各々係合される第１係止切欠き２０ａや第２係止切欠き２０ｂが、第１係止片１９ａや第２係止片１９ｂと対応させて、開口部１４ａの縁部となる後方正面板１１ｂの下辺３４からの離間長さが異なるように、ずれて設けられている。
【００２８】
また、本実施形態では、底面部差し込みフラップ片１８ｂに設けられた第１係止片１９ａ及び第２係止片１９ｂや、後方正面板１１ａの隣接する両側の側面板１１ｃ，１１ｄとの間の側縁角部分に設けられた第１係止切欠き２０ａ及び第２係止切欠き２０ｂが、天面部差し込みフラップ片１８ａに設けられた第１係止片１９ａ及び第２係止片１９ｂや、前方正面板１１ｂの隣接する両側の側面板１１ｃ，１１ｄとの間の側縁角部分に設けられた第１係止切欠き２０ａ及び第２係止切欠き２０ｂと同様に、離間長さが短い方の第１係止切欠き２０ａの係合基端部から開口部における後方正面板１１ａと側面板１１ｄとの角部内側までの長さｓ1と、離間長さが短い方の第１係止片１９ａの係合基端部から離間長さが長い方の第２係止片１９ｂの先端縁部までの長さｓ2とが略合致するような位置関係で、各々設けられている。
【００２９】
本実施形態の封緘箱１０は、上述のブランク１５を用いて組み立てられて、収容物を封入収容した状態で製品化される。すなわち、収容物を収容した封緘箱１０を得るには、上述のように、接合板２７を側面板１１ｃの内側面に接合することで筒状本体１１を形成した後に、筒状本体１１の下端の開口を一対の底面部内フラップ片２５ｂと底面部差し込みフラップ片１８ｂを用いて閉塞して、底面板１２ｂを形成する。底面板１２ｂは、後述する天面板１２ｂを形成する方法と同様の方法により、好ましくは封緘装置（カートナー）を使用した簡単な工程によって、容易に形成することができる。
【００３０】
筒状本体１１の下端の開口を閉塞して底面板１２ｂを形成したら、上端の開口１４から収容物を収容した後に、図１及び図２（ａ）、（ｂ）に示すように、上端の開口１４を、一対の天面部内フラップ片２５ａと天面部蓋フラップ片１７ａを用いて閉塞して、天面板１２ａを形成する。天面板１２ａを形成するには、好ましくは封緘装置（カートナー）を使用して、両側の天面部内フラップ片２５ａを内側に折り込んでから、天面部蓋フラップ片１７ａに連設する天面部差し込みフラップ片１８ａを、他方の正面板としての前方正面板１１ｂの内側面に沿って差し込む。かかる差し込み工程においては、従来の封緘装置を使用した方法と同様に、天面部差し込みフラップ片１８ａを斜めに傾けた状態から差し込み始めることで、これの両側の側縁部に設けられた第１係止片１９ａや第２係止片１９ｂを、前方正面板１１ｂの両側の側縁角部分に設けられた第１係止切欠き２０ａや第２係止切欠き２０ｂに各々係合する（図２（ａ）、（ｂ）参照）。
【００３１】
すなわち、天面部差し込みフラップ片１８ａを斜めに差し込んで、第１係止片１９ａを第１係止切欠き２０ａに係合させた後に、これらの係合部分を中心に、天面部差し込みフラップ片１８ａの第２係止片１９ｂが設けられた側の部分を差込み方向に回動させれば、第２係止片１９ｂは、その先端縁部を僅かに変形させつつ、開口部１４における前方正面板１１ｂと側面板１１ｄとの角部内側から、前方正面板１１ｂと側面板１１ｄとの側縁角部分に設けられた第２係止切欠き２０ｂまで、角部内側に沿ってスムーズに通過して、第２係止切欠き２０ｂに係合する。これによって、天面部蓋フラップ片１７ａによって上端の開口１４を閉塞した際に、第１係止片１９ａ及び第２係止片１９ｂは、前方正面板１１ｂの両側に突出した状態で、第１係止切欠き２０ａや第２係止切欠き２０ｂに強固に且つ安定した状態で係合される。またこれによって、天面部蓋フラップ片１７ａは、天面部差し込みフラップ片１８ａを引き抜くことで開放することが困難になると共に、天面部蓋フラップ片１７ａによる天面板１２ａの開放は、天面部蓋フラップ片１７ａに設けられた切断誘導線１３を破断することによって行われることになる。
【００３２】
したがって、本実施形態の封緘箱１０によれば、簡易な構成によって、且つ封緘装置を使用した簡単な工程によって、筒状本体１１の端部の開口部１４を、容易には開放されないように安定した状態で封緘することが可能になる。
【００３３】
また、本実施形態によれば、先端差し込みフラップ片１８ａ，１８ｂの両側の係止片１９ａ，１９ｂは、蓋フラップ片１７ａ，１７ｂとの間の折曲げ線１６ｂからの離間長さａ1，ａ2が異なるようにずれて設けられており、他方の正面板１１ｂの両側の係止切欠き２０ａ，２０ｂは、係止片１９ａ，１９ｂと対応させて、開口部１４の縁部からの離間長さａ1，ａ2が異なるようにずれて設けられているので、両側の係止片１９ａ，１９ｂの先端縁部の間の長さＬ1を他方の正面板の幅Ｌ2よりも長くする量を、相当程度に大きくすることが可能になり、これによってさらに強固に且つ安定した状態で、筒状本体１１の端部の開口部１４を封緘することが可能になる。
【００３４】
なお、本発明は上記実施形態に限定されることなく種々の変更が可能である。例えば、封緘箱を形成するためのブランクは、紙製のブランクである必要は必ずしも無く、プラスチック製のブランクであっても良い。また、先端差し込みフラップ片の両側の係止片を、折曲げ線からの離間長さが異なるようにずらせて設けたり、他方の正面板の両側の係止切欠きを、開口部の縁部からの離間長さが異なるようにずらせて設ける必要は必ずしもない。例えば、プラスチック製のブランクを用いた場合、先端差し込みフラップ片の両側の係止片は相当の保形剛性を備えるので、両側の係止片の先端縁部の間の長さを他方の正面板の幅よりも長くする量を相当程度に大きくして、先端差し込みフラップ片を無理押しながら差し込んで係止片を係止切欠きに係合させる場合でも、係止片はその形状を容易に保持できるので、係止片を正面板の両側に相当の突出量で突出させて、強固に且つ安定した状態で、筒状本体を封緘することが可能になる。
【００３５】
図４は、筒状本体の端部の開口部を、容易には開放されないように安定した状態で封緘することを可能にする、他の形態に係る封緘箱を形成するためのブランク４０の展開図である。図４に示すブランク４０では、図３に示すブランク１５と略同様に、縦方向折曲げ線や横方向折曲げ線や全切れ線によって区画された、後方正面板４１ａ、前方正面板４１ｂ、一対の側面板４１ｃ，４１ｄ、天面部蓋フラップ片４２ａ、底面部蓋フラップ片４２ｂ、天面部差し込みフラップ片４３ａ、底面部差し込みフラップ片４３ｂ、一対の天面部内フラップ片４４ａ、一対の底面部内フラップ片４４ｂ、接合板４５等を備えている。また、天面部差し込みフラップ片４３ａや底面部差し込みフラップ片４３ｂには、ロック穴４７が、係止部として設けられており、天面部蓋フラップ片４２ａには、ミシン目等による切断誘導線４８が設けられている。さらに、後方正面板４１ａの下端部や前方正面板４１ｂの上端部には、切り込みを入れることによって係止片４６が設けられている。
【００３６】
図４のブランク４０を用いて形成された封緘箱では、収容物を収容して対向配置された前後一対の正面板４１ａ，４１ｂを含む六面体形状に形成された際に、天面部差し込みフラップ片４３ａや底面部差し込みフラップ片４３ｂのロック穴４７を、後方正面板４１ａや前方正面板４１ｂの係止片４６に係合することによって、天面部差し込みフラップ片４３ａを引き抜くことでは上端部の開口を開放することが困難になると共に、天面部蓋フラップ片４２ａによる天面板の開放は、天面部蓋フラップ片４２ａに設けられた切断誘導線４８を破断することによって行わせることが可能になる。
【００３７】
図５もまた、筒状本体の端部の開口部を、容易には開放されないように安定した状態で封緘することを可能にする、他の形態に係る封緘箱を形成するためのブランク５０の展開図である。図５に示すブランク５０では、図３に示すブランク１５と略同様に、縦方向折曲げ線や横方向折曲げ線や全切れ線によって区画された、後方正面板５１ａ、前方正面板５１ｂ、一対の側面板５１ｃ，５１ｄ、天面部蓋フラップ片５２ａ、底面部蓋フラップ片５２ｂ、天面部差し込みフラップ片５３ａ、底面部差し込みフラップ片５３ｂ、一対の天面部内フラップ片５４ａ、一対の底面部内フラップ片５４ｂ、接合板５５等を備えている。また、天面部差し込みフラップ片５３ａや底面部差し込みフラップ片５ｂには、ロック穴５７ａ，５７ｂが、係止部として設けられており、天面部蓋フラップ片５２ａには、ミシン目等による切断誘導線５８が設けられている。さらに、天面部内フラップ片５４ａの外側縁部には、係止片４６ａが外側に突出して各々設けられており、底面部内フラップ片５４ｂの内側縁部には、係止片４６ｂが内側に突出して各々一対設けられている。
【００３８】
図５のブランク５０を用いて形成された封緘箱では、収容物を収容して対向配置された前後一対の正面板５１ａ，５１ｂを含む六面体形状に形成された際に、天面部差し込みフラップ片５３ａや底面部差し込みフラップ片５３ｂのロック穴５７ａ，５７ｂを、天面部内フラップ片５４ａや底面部内フラップ片５４ｂの係止片５６ａ，５６ｂに係合することによって、天面部差し込みフラップ片５３ａを引き抜くことでは上端部の開口を開放することが困難になると共に、天面部蓋フラップ片５２ａによる天面板の開放は、天面部蓋フラップ片５２ａに設けられた切断誘導線５８を破断することによって行わせることが可能になる。
【符号の説明】
【００３９】
１０  封緘箱
１１  筒状本体
１１ａ  後方正面板
１１ｂ  前方正面板
１１ｃ，１１ｄ  側面板
１２ａ  天面板
１２ｂ  底面板
１３  切断誘導線
１４  開口部
１５  ブランク
１６ａ  縦方向折曲げ線
１６ｂ  横方向折曲げ線
１７ａ  天面部蓋フラップ片
１７ｂ  底面部蓋フラップ片
１８ａ  天面部差し込みフラップ片
１８ｂ  底面部差し込みフラップ片
１９ａ  第１係止片
１９ｂ  第２係止片
２０ａ  第１係止切欠き
２０ｂ  第２係止切欠き
２５ａ  天面部内フラップ片
２５ｂ  底面部内フラップ片
２７  接合板
３２  前方正面板の上辺（開口部の縁部）
【図１】
0005727876.tif 000002
【図２】
0005727876.tif 000003
【図３】
0005727876.tif 000004
【図４】
0005727876.tif 000005
【図５】
0005727876.tif 000006